(57)【要約】      （修正有）【課題】調整部材とスプールとの隙間からスプール内部に水分が侵入することを抑制するスピニングリールの提供。【解決手段】スピニングリールは、リール本体、スプール軸と、スプール４と、ドラグ機構と、調節部材３０と、防水構造４０と、を備える。スプール４は、糸巻き胴部４ａ、及び糸巻き胴部４ａの前側に設けられ糸巻き胴部４ａの外径よりも大径の前方壁部４ｂ、を有し、スプール軸に回転可能に支持されている。調節部材３０は、軸方向においてスプール４の前方壁部４ｂと対向する対向壁部３０ｂを有し、スプール４と隙間を隔ててスプール軸の先端に回動可能に装着される。防水構造４０は、スプール４の前方壁部４ｂに設けられ、前方壁部４ｂから対向壁部３０ｂに向かって突出する環状凸部４０ａと、対向壁部３０ｂから離れる方向に凹み、環状凸部４０ａよりもスプール軸の径方向外側に設けられた環状凹部４０ｂと、を有する。【選択図】図２
2020010647.tif 000002
【特許請求の範囲】
【請求項１】
釣り糸を前方に繰り出し可能なスピニングリールであって、
リール本体と、
前後方向に延び、リール本体に支持されたスプール軸と、
糸巻き胴部、及び前記糸巻き胴部の前側に設けられ前記糸巻き胴部の外径よりも大径の壁部、を有し、前記スプール軸に回転可能に支持されたスプールと、
前記スプールの内周部に配置され、前記スプールの回転を制動するドラグ機構と、
前記スプール軸の軸方向において前記スプールの前記壁部と対向する対向壁部を有し、前記スプールと隙間を隔てて前記スプール軸の先端に回動可能に装着され、回動によって前記ドラグ機構のドラグ力を調節する調節部材と、
前記スプールの前記壁部及び前記調節部材の前記対向壁部のいずれか一方に設けられ、  前記スプールの内部への水分の侵入を抑制する防水構造と、
を備え、
前記防水構造は、
前記壁部及び前記対向壁部のいずれか他方に向かって突出する環状凸部と、
前記壁部及び前記対向壁部のいずれか他方から離れる方向に凹み、前記環状凸部よりも前記スプール軸の径方向外側に設けられた環状凹部と、
を有する、
スピニングリール。
【請求項２】
前記環状凹部は、前記環状凸部と径方向に間隔を隔てて配置されている、
請求項１に記載のスピニングリール。
【請求項３】
前記防水構造は、径方向外側に延びるにつれて前方に傾斜する傾斜部をさらに有する、
請求項１又は２に記載のスピニングリール。
【請求項４】
前記スプールは、前記壁部から前方に延び、前記調節部材の前記対向壁部の外周部を覆うカバー部をさらに有する、
請求項１から３いずれか１項に記載のスピニングリール。
【請求項５】
前記調節部材は、外周部が前記スプールの前記壁部の内周部に対向して配置された円筒部をさらに有し、
前記スプールの前記壁部の内周部と前記調節部材の前記円筒部の外周部との隙間をシールするシール部材を、さらに備えた、
請求項１から４のいずれか１項に記載のスピニングリール。
【請求項６】
前記防水構造は、前記スプールの前記壁部及び前記調節部材の前記対向壁部の両方に設けられている、
請求項１から５のいずれか１項に記載のスピニングリール。
【発明の詳細な説明】
【技術分野】
【０００１】
本発明は、釣り糸を前方に繰り出し可能なスピニングリールに関する。
【背景技術】
【０００２】
従来、スプールの回転を制動するドラグ機構と、ドラグ機構のドラグ力を調節する調節部材と、を備えたスピニングリールが知られている（特許文献１参照）。ドラグ機構は、スプールの内部に収容されている。調節部材は、スプールの前側でスプール軸に回動可能に装着されており、調節部材の回動に応じてドラグ機構のドラグ力が変化する。また、特許文献１には、調節部材とスプールとの隙間からドラグ機構への水分の侵入を防止するシール部材が設けられている。
【先行技術文献】
【特許文献】
【０００３】
【特許文献１】特開２０１５−９７４９２号公報
【発明の概要】
【発明が解決しようとする課題】
【０００４】
特許文献１では、調節部材とスプールとの隙間から侵入した水分がシール部材まで容易に到達してしまう。シール部材に到達する水分量が多いほどドラグ機構に水分が侵入する可能性が高くなるため、シール部材に到達する水分量は少ない方が好ましい。
【０００５】
また、特許文献１では、調節部材とスプールとの隙間から侵入した水分が外部に排出されにくい。このため、例えば、調節部材をスプール軸から取り外したとき、調節部材とスプールとの隙間に残留していた水分が誤ってスプールの内部に侵入するおそれがある。
【０００６】
本発明の課題は、調整部材とスプールとの隙間からスプール内部に水分が侵入することを抑制することにある。
【課題を解決するための手段】
【０００７】
本発明の一側面に係るスピニングリールは、釣り糸を前方に繰り出し可能なスピニングリールであって、リール本体と、スプール軸と、スプールと、ドラグ機構と、調節部材と、防水構造と、を備えている。スプール軸は、前後方向に延び、リール本体に支持されている。スプールは、糸巻き胴部、及び糸巻き胴部の前側に設けられ糸巻き胴部の外径よりも大径の壁部、を有し、スプール軸に回転可能に支持されている。ドラグ機構は、スプールの内周部に配置され、スプールの回転を制動する。調節部材は、スプール軸の軸方向においてスプールの壁部と対向する対向壁部を有し、スプールと隙間を隔ててスプール軸の先端に回動可能に装着され、回動によってドラグ機構のドラグ力を調節する。防水構造は、スプールの壁部及び調節部材の対向壁部のいずれか一方に設けられ、スプール内部への水分の侵入を抑制する。防水構造は、壁部及び対向壁部のいずれか他方に向かって突出する環状凸部と、壁部及び対向壁部のいずれか他方から離れる方向に凹み、環状凸部よりもスプール軸の径方向外側に設けられた環状凹部と、を有している。
【０００８】
このスピニングリールでは、例えば、スプールの壁部に防水構造を設けた場合、スプールと調節部材との隙間からスプールの壁部を伝ってスプール内部に侵入してきた水分は、環状凹部を横切るときに環状凹部に入り込む。また、スプールの壁部を伝ってきた水分が環状凹部を乗り越えた場合は、環状凸部によって水分の侵入が抑制される。すなわち、環状凹部及び環状凸部によって、スプール内部に配置されたドラグ機構に水分が侵入することを抑制できる。なお、調節部材の対向壁部に防水構造を設けた場合、スプールと調節部材の隙間から調整部材の壁部を伝ってきた水分に対して、上記と同様の効果を得ることができる。
【０００９】
また、スプールの壁部及び調節部材の対向壁部が前後方向に向いているときは、環状凹部が水分の流路となり、環状凹部に入り込んだ水分が環状凹部内を伝って下方に移動する。環状凹部内を移動した水分は、その後スプールの中心から離れる方向に流れ出るので、水分が外部に排出され易くなる。
【００１０】
好ましくは、環状凹部は、環状凸部と径方向に間隔を隔てて配置されている。この場合は、効果的にスプール内部への水分の侵入を抑制できる。
【００１１】
好ましくは、防水構造は、径方向外側に延びるにつれて前方に傾斜する傾斜部を有する。この場合は、スプールと調節部材との隙間から侵入してきた水分が外部に排出され易くなる。
【００１２】
好ましくは、スプールは、壁部から前方に延び、調節部材の対向壁部の外周部を覆うカバー部をさらに有する。この場合は、径方向から水分が侵入することを抑制できる。
【００１３】
好ましくは、調節部材は、外周部がスプールの壁部の内周部に対向して配置された円筒部をさらに有し、スプールの壁部の内周部と調節部材の円筒部の外周部との隙間をシールするシール部材をさらに備えている。この場合は、環状凹部及び環状凸部によってシール部材に到達する水分量が抑制されるので、スプール内部への水分の侵入をシール部材で容易に防止できる。
【００１４】
好ましくは、防水構造は、スプールの壁部及び調節部材の対向壁部の両方に設けられている。この場合は、スプール内部への水分の侵入をさらに抑制できる。
【発明の効果】
【００１５】
本発明によれば、調整部材とスプールとの隙間からスプール内部に水分が侵入することを抑制できる。
【図面の簡単な説明】
【００１６】
【図１】本発明の一実施形態が採用されたスピニングリールの側面断面図。
【図２】スプール及び調整部材の部分拡大断面図。
【図３】スプールの正面図。
【図４】他の実施形態に係るスプール及び調整部材の部分拡大断面図。
【図５】他の実施形態に係るスプール及び調整部材の部分拡大断面図。
【図６】他の実施形態に係るスプール及び調整部材の部分拡大断面図。
【発明を実施するための形態】
【００１７】
本発明の一実施形態が採用されたスピニングリール１００は、釣り糸を前方に繰り出し可能である。スピニングリール１００は、図１に示すように、リール本体２と、スプール軸３と、スプール４と、ドラグ機構２０と、調節部材３０と、防水構造４０と、を備えている。また、スピニングリール１００は、好ましくはシール部材５０をさらに備えている。
【００１８】
なお、以下の説明において、釣りを行うときに、釣り糸が繰り出される方向を前、その反対方向を後という。また、左右とは、スピニングリール１００を後方から見たときの左右をいう。また、スプール軸３が延びる方向を軸方向という。また、スプール軸３と直交する方向を径方向という。また、スプール軸３の軸周りの方向を周方向という。
【００１９】
図１に示すように、リール本体２には、ハンドル５が回転可能に設けられている。リール本体２は、内部空間を有しており、内部空間には、スプール４に釣り糸を均一に巻き付ける往復移動機構６や、リール本体２に回転可能に支持されたロータ８にハンドル５の回転を伝達するロータ駆動機構９などが収容されている。
【００２０】
スプール軸３は、前後方向に延び、リール本体２に支持されている。詳細には、スプール軸３は、リール本体２に、軸方向に移動可能に支持されている。
【００２１】
スプール４は、中央をスプール軸３が軸方向に貫通し、スプール軸３の先端側でスプール軸３に回転可能に支持されている。
【００２２】
スプール４は、糸巻き胴部４ａと、前方壁部４ｂ（壁部の一例）と、後方壁部４ｃと、スプール筒部４ｄと、を有している。また、スプール４は、好ましくはカバー部４ｅをさらに有している。
【００２３】
糸巻き胴部４ａは、円筒状に形成され、外周に釣り糸が巻き付けられる。糸巻き胴部４ａは、内部に空間を有している。
【００２４】
前方壁部４ｂは、糸巻き胴部４ａの前側で径方向に延びて設けられている。詳細には、前方壁部４ｂは、外径が糸巻き胴部４ａの外径よりも大径であり、糸巻き胴部４ａよりも径方向外側に延びている。
【００２５】
後方壁部４ｃは、糸巻き胴部４ａの後側で径方向に延びて設けられている。詳細には、後方壁部４ｃは、糸巻き胴部４ａよりも径方向外側に延び、前方壁部４ｂの外径と同じ程度の外径を有している。
【００２６】
スプール筒部４ｄは、スプール軸３に回転不能かつ着脱自在に装着されている。スプール筒部４ｄを介して、スプール４及びドラグ機構２０がスプール軸３に着脱可能に装着されている。スプール筒部４ｄは、図２に示すように、先端外周面に雄ねじ部４ｆを有している。
【００２７】
カバー部４ｅは、前方壁部４ｂから前方に円筒状に延び、調節部材３０の後述する対向壁部３０ｂの外周部を覆う。カバー部４ｅは、前方壁部４ｂと一体に形成されている。なお、カバー部４ｅは、前方壁部４ｂと別体に形成してもよい。
【００２８】
ドラグ機構２０は、図１に示すように、スプール４の内周部に配置され、スプール４の回転を制動する。詳細には、ドラグ機構２０は、スプール４の糸巻き胴部４ａの内部に収容されている。ドラグ機構２０は、複数の摩擦部材２０ａを有している。なお、ドラグ機構２０は従来と同様の構成であるため、詳細な説明は省略する。
【００２９】
調節部材３０は、スプール４と隙間を隔ててスプール軸３の先端に回動可能に装着されている。本実施形態では、調節部材３０は、スプール筒部４ｄを介してスプール軸３の先端に回動可能に装着されている。調節部材３０の回動によってドラグ機構２０のドラグ力が調節される。
【００３０】
調節部材３０は、図２に示すように、つまみ本体部３０ａと、対向壁部３０ｂと、円筒部３０ｃと、つまみ部３０ｄと、ナット３０ｅと、ばね部材３０ｆと、押圧部材３０ｇと、を有している。
【００３１】
つまみ本体部３０ａは、円形であり、ナット３０ｅを介してスプール軸３の先端に回動可能に装着されている。
【００３２】
対向壁部３０ｂは、つまみ本体部３０ａに一体に形成されており、つまみ本体部３０ａから径方向外側に向かって環状かつ板状に延びている。対向壁部３０ｂは、軸方向においてスプール４の前方壁部４ｂと対向する。詳細には、対向壁部３０ｂは、前方壁部４ｂと軸方向に間隔を隔てて、前方壁部４ｂの前方に配置されている。対向壁部３０ｂは、径方向外側がスプール４のカバー部４ｅに覆われている。対向壁部３０ｂは、径方向においてカバー部４ｅと隙間を有し、この隙間は前方に向いて開放されている。
【００３３】
円筒部３０ｃは、つまみ本体部３０ａから後方に円筒状に延びている。円筒部３０ｃは、外周部がスプール４の前方壁部４ｂの内周部に対向して配置されている。円筒部３０ｃは、つまみ本体部３０ａに一体に形成されている。円筒部３０ｃは、後端部がシール部材５０に接触している。
【００３４】
つまみ部３０ｄは、調節部材３０を回動操作するための操作部である。つまみ部３０ｄは、径方向に延び、つまみ本体部３０ａから前方に突出する。つまみ部３０ｄは、つまみ本体部３０ａの前部にねじ部材３２で固定されている。
【００３５】
ナット３０ｅは、つまみ本体部３０ａに対して、相対回転不能かつ軸方向に相対移動可能に、つまみ本体部３０ａの内周部に収容されている。ナット３０ｅの内周面には雌ねじ部３０ｈが形成されており、この雌ねじ部３０ｈがスプール筒部４ｄの雄ねじ部４ｆに螺合する。これにより、ナット３０ｅは、調節部材３０の回転に応じて調節部材３０とともに回転し、且つスプール筒部４ｄに沿って軸方向に移動する。
【００３６】
ばね部材３０ｆは、軸方向において、ナット３０ｅと押圧部材３０ｇとの間に配置されている。ばね部材３０ｆは、スプール筒部４ｄの外周部に装着されている。ばね部材３０ｆは、押圧部材３０ｇを複数の摩擦部材２０ａ側に向けて付勢する。
【００３７】
押圧部材３０ｇは、図１に示すように、軸方向において、調節部材３０と複数の摩擦部材２０ａとの間に配置されている。調節部材３０を回動操作すると、ナット３０ｅがスプール筒部４ｄに対して軸方向に移動して、ばね部材３０ｆが押圧部材３０ｇを押圧する力が変化する。これにより、押圧部材３０ｇが複数の摩擦部材２０ａを押圧する力が変化して、ドラグ機構２０のドラグ力が変化する。
【００３８】
防水構造４０は、スプール４の前方壁部４ｂ及び調節部材３０の対向壁部３０ｂのいずれか一方に設けられ、スプール４の内部への水分の侵入を抑制する。本実施形態では、防水構造４０は、スプール４の前方壁部４ｂに設けられている。防水構造４０は、スプール４のカバー部４ｅと調節部材３０の対向壁部３０ｂの隙間から入り込んだ水分が、スプール４の内部、ひいてはドラグ機構２０に侵入することを抑制する。
【００３９】
防水構造４０は、図２及び図３に示すように、環状凸部４０ａと、環状凹部４０ｂと、を有している。また、防水構造４０は、好ましくは傾斜部４０ｃをさらに有している。環状凸部４０ａ、環状凹部４０ｂ、及び傾斜部４０ｃは、カバー部４ｅよりも径方向内側かつ前方壁部４ｂの前側に形成されている。
【００４０】
環状凸部４０ａは、スプール４の前方壁部４ｂから調節部材３０の対向壁部３０ｂに向かって軸方向に突出し、周方向に沿って環状に形成されている。環状凸部４０ａは、前方壁部４ｂの内縁から突出して形成されている。
【００４１】
環状凹部４０ｂは、スプール４の前方壁部４ｂにおいて、調節部材３０の対向壁部３０ｂから離れる方向に凹み、周方向に沿って環状に形成されている。本実施形態では、環状凹部４０ｂは、対向壁部３０ｂと軸方向に対向する位置において、前方から後方に向かって軸方向に凹んで形成されている。環状凹部４０ｂは、環状凸部４０ａよりも径方向外側に形成されている。環状凹部４０ｂは、環状凸部４０ａと径方向に間隔を隔てて配置されることが好ましい。
【００４２】
傾斜部４０ｃは、径方向外側に延びるにつれて前方に傾斜するように形成されている。傾斜部４０ｃは、環状凹部４０ｂよりも径方向外側、かつスプール４のカバー部４ｅよりも径方向内側に形成されている。
【００４３】
シール部材５０は、スプール４と調節部材３０との隙間をシールする。詳細には、シール部材５０は、スプール４の前方壁部４ｂの内周部と調節部材３０の円筒部３０ｃの外周部との隙間をシールする。シール部材５０は、先端が前方に傾斜するリップシールであり、押圧部材３０ｇの外周面に形成された装着溝３０ｉに装着されている。シール部材５０は、先端が前方壁部４ｂの内周部に接触し、前面の一部が調節部材３０の円筒部３０ｃの後端部に接触するように配置されている。
【００４４】
上記構成のスピニングリール１００では、スプール４のカバー部４ｅと調節部材３０の対向壁部３０ｂの隙間からカバー部４ｅ及び前方壁部４ｂを伝ってスプール４内部に侵入してきた水分が、環状凹部４０ｂを横切るときに環状凹部４０ｂに入り込み、水分の侵入が抑制される。また、水分が環状凹部４０ｂを乗り越えた場合は、環状凸部４０ａによって水分の侵入が抑制される。
【００４５】
また、図３に示すように、スプール４の前方壁部４ｂ及び調節部材３０の対向壁部３０ｂが前後方向に向いているときは、環状凹部４０ｂが水分の流路となり、環状凹部４０ｂに入り込んだ水分が環状凹部４０ｂ内を伝って下方に移動する。環状凹部４０ｂ内を移動した水分は、その後、図３に破線で示すようにスプール４の中心から離れる方向に流れ出るので、水分が外部に排出され易くなる。また、傾斜部４０ｃを設けることで、環状凹部４０ｂから流れ出た水分が外部に誘導され易くなる。
【００４６】
＜他の実施形態＞
以上、本発明の一実施形態について説明したが、本発明は上記実施形態に限定されるものではなく、発明の要旨を逸脱しない範囲で種々の変更が可能である。
【００４７】
＜その他の実施形態＞
前記実施形態では、スプール４の前方壁部４ｂに防水構造４０を設けていたが、図４に示すように、調節部材３０の対向壁部３０ｂに防水構造４０を設けてもよい。この場合、環状凸部４０ａは、調節部材３０の対向壁部３０ｂからスプール４の前方壁部４ｂに向かって軸方向に突出する。また、環状凹部４０ｂは、対向壁部３０ｂにおいて、スプール４の前方壁部４ｂから離れる方向に凹んで形成される。
【００４８】
また、図５に示すように、スプール４の前方壁部４ｂ及び調節部材３０の対向壁部３０ｂの両方に防水構造４０を設けてもよい。
【００４９】
また、図６に示すように、スプール４の前方壁部４ｂに防水構造４０を設けて、調節部材３０の対向壁部３０ｂに環状凹部４０ｂのみを設けてもよい。また、前方壁部４ｂ及び対向壁部３０ｂの少なくともいずれか一方に環状凹部４０ｂを複数設けてもよい。
【符号の説明】
【００５０】
２  リール本体
３  スプール軸
４  スプール
４ａ  糸巻き胴部
４ｂ  前方壁部（壁部の一例）
４ｅ  カバー部
２０  ドラグ機構
３０  調節部材
３０ｂ  対向壁部
３０ｃ  円筒部
４０  防水構造
４０ａ  環状凸部
４０ｂ  環状凹部
４０ｃ  傾斜部
５０  シール部材
１００  スピニングリール
【図１】
2020010647.tif 000003
【図２】
2020010647.tif 000004
【図３】
2020010647.tif 000005
【図４】
2020010647.tif 000006
【図５】
2020010647.tif 000007
【図６】
2020010647.tif 000008